(57)【要約】【課題】ドアに穴を開けて室内のサムターンをドア外側から操作しようとしても、該サムターンに触れることができないようにするドア錠のサムターン回し防護カバーを得る。【解決手段】ドアの内側に張出しているサムターンを囲繞するサムターン回し防護カバーであり、該サムターン回し防護カバーは本体と蓋体とから構成され、前記蓋体の一側面は全面が開放され、その開放側面に対向する側面の中央にはその縁側方向に開口した導入溝が開設され、前記本体にはその頂面の中央に前記サムターンが挿通するサムターン穴が開穿され、前記蓋体の自由端側の側面が対応する側板に十字ネジ又は一字ネジが螺着され、前記本体の所定の端縁と前記蓋体の開放側面の底縁とが蝶番等の接続金具により回動自在に接続され、閉蓋したときは前記蓋体の側壁は本体の側壁に対して外側に位置するように構成してなる。【選択図】　　　　　　図３
0003098821.tif 000002
【実用新案登録請求の範囲】
【請求項１】
ドア１の内側に張出しているサムターン３を囲繞するサムターン回し防護カバー４であって、
該サムターン回し防護カバー４は本体５と蓋体６とから構成され、
前記蓋体６の一側面は全面が開放され、その開放側面に対向する側面７の中央にはその縁側方向に開口した導入溝８が開設され、
前記本体５にはその頂面１２の中央に前記サムターン３が挿通するサムターン穴１３が開穿され、前記蓋体６の自由端側の側面７が対応する側板１４に十字ネジ又は一字ネジ１５が螺着され、
前記本体５の所定の端縁９と前記蓋体６の開放側面の底縁１０とが蝶番等の接続金具１１により回動自在に接続され、
閉蓋したときは、前記蓋体６の側壁は本体５の側壁に対して外側に位置するように構成してあることを特徴とするドア錠のサムターン回し防護カバー。
【考案の詳細な説明】
【０００１】
【考案の属する技術分野】
本考案は、ドアに穴を開けて室内のサムターン（ドア内側にある錠を開閉するつまみ）を回してドアを開ける、所謂、サムターン回しを簡単な防護カバーによって効果的に防止できるようにしたドア錠のサムターン回し防護カバーに関するものである。
【０００２】
【従来の技術】
従来、一般的な戸締用ドア錠は、施錠及び解錠の作動に連動して回転するつまみのサムターンがドア内側に配設されている。
【０００３】
最近、上記の如き戸締用ドア錠の設置されているドアのノブ付近に家人の留守を見計らって電動ドリル等を用いて穴を開け、該穴から手を差し込み、或いは、特殊な工具を差し入れて該サムターンを操作して解錠しドアを開けて室内に侵入する空き巣が横行している。
【０００４】
それに対応するものとして、ドア内側のサムターン周りに所要の厚さの板材を張り付けてノブ付近のドア板の厚みを大きくして穴開け作業に困難性を付加する構造が提案されている。
【０００５】
しかし、サムターン周りのドア部分の厚みを大きくする手法は、構造的に非常に簡単で穴開け作業に対してある程度の困難性は期待できるものの、ひとたび穴が開けられたら手を入れられて簡単に錠を開けることができるので、防犯機能に劣っていた。
【０００６】
又、開閉自在な蓋体やサムターンを囲繞する箱状部材を取り付け、該箱状部材を開閉して行う構成も提案されている。しかし、この提案の構成は、外部から比較的容易に蓋体や箱状部材をめくり上げられるおそれがある。
【０００７】
その外に、施錠装置の不正解錠防止機能を高める手段としては、例えば、特開平９−２６８８２７、特開平１０−１９６１７３、特開平１１−２００６７８、特開２００１−１９３３２６、特開２００１−２９５５１５、特開２００３−２７７９９、特開２００３−５６２２０、特開２００３−６４９１１に見られるように、サムターン自体の内部機構で解決しようとするものが提案されているが、当該錠の製造販売コストが高い難点がある。
【０００８】
【考案が解決しようとする課題】
そこで、ドアに穴を開けて室内のサムターンをドア外側から操作しようとしても、該サムターンに触れることができないようにすることにより、空き巣に対する防犯性能を格段に向上させた、安価に提供可能なドア錠のサムターン回し防護カバーを得ようとするものである。
【０００９】
【課題を解決するための手段】
本考案は、上記の如き観点に鑑みてなされたものである。その主たる構成は、ドアの内側に張出しているサムターンを囲繞するサムターン回し防護カバーであって、該サムターン回し防護カバーは本体と蓋体とから構成され、前記蓋体の一側面は全面が開放され、その開放側面に対向する側面の中央にはその縁側方向に開口した導入溝が開設され、前記本体にはその頂面の中央に前記サムターンが挿通するサムターン穴が開穿され、前記蓋体の自由端側の側面が対応する側板に十字ネジ又は一字ネジが螺着され、前記本体の所定の端縁と前記蓋体の開放側面の底縁とが蝶番等の接続金具により回動自在に接続され、閉蓋したときは、前記蓋体の側壁は本体の側壁に対して外側に位置するように構成してあるドア錠のサムターン回し防護カバーを提供しようとするものである。
【００１０】
【考案の実施の態様】
以下、図面を参照しながら詳細に説明する。
図１は本考案一実施例の構成を示す斜視図である。図２は本考案の他の実施例の構成を示す斜視図である。図３は本考案に係るサムターン回し防護カバーをドア内側に取り付けた状態を示すドア側面からみた説明図である。
【００１１】
ドア１に対して所定の戸締用ドア錠２が取り付けられている。該ドア１の内側に張出している該錠２のサムターン３は、後述のサムターン回し防護カバー４で囲繞されている。
【００１２】
前記サムターン回し防護カバー４は、本体５と蓋体６とから構成されている。該蓋体６の所定の一側面は全面が欠設されて開放され、その開放側面に対向する側面７の中央にはその縁側方向に開口した導入溝８が開設されている。そして、該本体５と蓋体６とは、該本体５の所定の端縁９と蓋体６の欠設側面の底縁１０とを連結する蝶番等の接続金具１１により回動自在に接続され、閉蓋したときは該蓋体６の側壁三面は本体５の側壁三面に対して外側に位置するように構成してある。
【００１３】
前記本体５は、図２に示すように、側面のうち一つの側面を欠設した開放面とすることもできる。
【００１４】
更には、本体５及び蓋体６を四角形の外、多角形或いは丸形その他任意の形状に構成することも可能である。
【００１５】
前記本体５には、その頂面１２の中央に前記サムターン３が挿通できる大きさのサムターン穴１３が開穿され、又、前記蓋体６の自由端側の側面７が対応する側板１４に十字ネジ１５が螺着されている。
【００１６】
この場合、前記十字ネジに代えて一字ネジであっても同様である。
【００１７】
このように、前記蝶番等の接続金具１１によって蓋体６と一体に組み立てられた本体５を、その頂面１２のサムターン穴１３に前記サムターン３を挿通してドア１に対してねじ留め、接着その他により固定する。
【００１８】
その状態において、閉蓋する場合は、前記蓋体６が閉蓋移動する回転過程において、前記本体５の十字ネジ又は一字ネジ１５は相対的に該蓋体６の導入溝８の中を進入移動し、閉蓋位置において該十字ネジ又は一字ネジ１５を、通常一般の家庭で備え付けの適当な十字ドライバー又は一字ドライバーで締め付ければ、該蓋体６は本体５に対して閉蓋固定される。それにより該サムターン３は防護カバー４で外部からブロックされてサムターン回しから完全に防護される。
【００１９】
反対に、開蓋する場合は、上記と同様に前記十字ネジ又は一字ネジ１５を十字ドライバー又は一字ドライバーで緩めれば、前記蓋体６は本体５に対して回動自在の状態に置かれるから、ドア内側から防護カバー４の蓋体６を手で上方に回動して開けば、サムターンに触れることができる。それによって戸締用ドア錠２の開閉操作を行うことができる。
【００２０】
従って、留守にする際は、閉蓋モードにすれば、サムターン３は防護カバー４によってブロックされて触れることができない。そして又、前記十字ネジ又は一字ドライバー１５の弛緩操作は、ドア１に開けた穴から差し入れた手でドア外側からの手探りで行うには、工具による場合は勿論、手で行う場合でも極めて困難である。
【００２１】
【考案の効果】
以上の説明により明らかな如く、本考案に係るドア錠のサムターン回し防護カバーによれば、閉蓋モードにしておくことによって、施錠及び解錠の作動に連動して回転するつまみである室内のサムターンをドアに開けた穴から差し入れた手でドア外側から操作しようとしても、該サムターンに触れることが極めて難しいから空き巣に対する防犯性能に優れている外、安価に提供できる等の実用的効果を奏するものである。
【図面の簡単な説明】
【図１】本考案一実施例のサムターン回し防護カバーの構成を示す斜視図である。
【図２】本考案の他の実施例のサムターン回し防護カバーの構成を示す斜視図である。
【図３】本考案に係るドア錠のサムターン回し防護カバーをドアに取り付けた状態を示す動作説明図である。
【符号の説明】
１　　ドア
２　戸締用ドア錠
３　サムターン
４　サムターン回し防護カバー
５　本体
６　蓋体
７　側面
８　導入溝
９　端縁
１０　底縁
１１　蝶番等の接続金具
１２　頂面
１３　サムターン穴
１４　側板
１５　十字ネジ又は一字ネジ
【図１】
0003098821.tif 000003
【図２】
0003098821.tif 000004
【図３】
0003098821.tif 000005